(57)【要約】【課題】音楽や動画像のような時間的に連続するデータの記録再生装置において、記録したデータを学習教材として反復学習に利用するために、データを記録中にも再生中にもユーザが重要と判断した箇所に任意の期間マーキングでき検索を容易にする結果、反復学習の効率を高める記録再生装置を提供する。【解決手段】音声や動画像のような時間的に連続するデータを取り込むデータ収集手段５００と、該データを記録し再生する記憶装置４００と、記録または再生機能と関連の深い機能の実行を制御するシステムコントローラ１００と、記録中または再生中のデータを確認するための表示手段３００と、マーキング手段を含むキー操作部２００を備え、記録時も再生時も音声や動画像データを前記表示手段で確認しながら前期データの特定箇所に任意の長さマーキングできるようにした。【選択図】    図１
2005209320.tif 000002
【特許請求の範囲】
【請求項１】
音声または動画像のように時間的に連続するデータを入力するデータ収集手段と、該データを記録する記憶装置と、記録する該データの確認、または該記憶装置内に記録された該データを再生するときに該データを確認するための表示手段と、記録または再生動作の制御手段であるシステムコントローラと、前記表示手段でデータを確認しながら該データの特定箇所を指定するマーキング手段を含むキー操作部を備え、音声または動画像のデータを該記憶装置に記録するときも、該記憶装置内の音声や動画像データを再生するときも、該データを前記表示手段で確認しながら前記マーキング手段のオンオフ操作で該データの特定の箇所に任意の長さの一次マーク期間を指定できるようにしたことを特徴とする記録再生装置。
【請求項２】
請求項１に記載の記録再生装置において、前記キー操作部にはマーキング手段としてのマークキーと、記録または再生動作を操作する再生キー、記録キー、一時停止キー、停止キー、早送りキー、巻戻しキー、予約キーと、前記記録再生装置に備えられた記録再生以外の機能を選択するメニューキーが設けられ、前記予約キーで指定される予約モードでの記録または再生動作も含めた音楽や動画像データの記録または再生を実行するとき、または前記メニューキーで前記記憶装置内のデータの特定箇所を指定して削除、追加、加工する編集モードが選択されたときも、前期表示手段で該データを確認しながら前記マークキーのオンオフ操作により該データに一次マーク期間を指定し、該一次マーク期間を基に該データの再生のために改めて二次マーク期間を定め、該二次マーク期間の開始時刻と終了時刻のタイムコード対、または該タイムコード対の前記記憶装置の物理アドレスに変換したアドレス対、またはその両方を時刻順に行方向に配列してマークアドレステーブルを作成し前記システムコントローラ内のメモリに記憶することを特徴とする記録再生装置。
【請求項３】
請求項１に記載の記録再生装置におけるデータのマーキング方法で、請求項２に記載したように定められた二次マーク期間で作成されるマークアドレステーブルに関し、マーキングを伴う記録動作が完了するか一時停止キーの操作により中断して記録モードの一時停止状態に入れば、記録中に作成されたマークアドレステーブルの中で相隣る二次マーク期間の間隔がデータの内容によってあらかじめ定められた最小マーク期間より短いとき、該二次マーク期間を連結して一つの二次マーク期間に統合し、行方向に配列して作成したマークアドレステーブルを前記システムコントローラ内の長期保管用のメモリに記憶する。また、該マークテーブルを参照しながらの再生動作において新しいマーキングを伴う再生動作が完了するか一時停止キーの操作により中断して再生モードの一時停止状態に入れば、該マークアドレステーブルには新旧の二次マーク期間が混在し、該マークアドレステーブルの中で相隣る新しい二次マーク期間の間隔が前記最小マーク期間より短い場合には、記録時と同様にそれらを連結統合し、また新しい二次マーク期間が古い二次マーク期間と一部でも重なる部分では、あい重なる古い二次マーク期間をすべて無効にし、新しい二次マーク期間を有効とするように選択整理した後、記録時も再生時も統合選択された個々の二次マーク期間を時刻順に行方向に配列して作成し直したマークアドレステーブルを前記システムコントローラ内の長期保管用のメモリに記憶してデータの検索と再生に活用することを特徴とする記録再生装置。
【請求項４】
請求項１に記載の記録再生装置において、記録または再生動作を起動した後、該動作を中断して記録モードまたは再生モードの一時停止状態に戻す制御に関し、先ず前記キー操作部に設けられた記録キーまたは再生キーを押せば、記録モードまたは再生モードの一時停止状態に入り、そこで表示される記録操作専用のダイアログまたは再生操作専用のダイアログを通して、記録の場合は入力データを選択し必要事項を入力してダイアログ中の決定ボタンを選ぶか記録キーを押せば記録動作に、または再生の場合は前記記憶装置内のデータを選択し必要事項を入力して決定ボタンを選ぶか再生キーを押せば再生動作にそれぞれ入るという対称形の状態遷移を採り、次に一時停止キーが記録または再生の動作中に押されると、記録動作中のときは即応せずダイアログを表示し中断するか継続するか問い直しそのときの指示に基づいて次の状態を決定し、再生動作中のときはデータが破壊されないため即応して再生動作を中断し再生モードの一時停止状態に入るという非対称形の状態遷移を採りながら前期記録再生装置を前期システムコントローラにより制御することを特徴とする記録再生装置。
【請求項５】
請求項１に記載の記録再生装置において、前記記憶装置内のデータを再生して前記表示手段に出力する再生モードに関し、該データをすべて再生する通常再生モード、ないしは該データの二次マーク期間のみを再生するスキップ再生モードを有し、特にスキップ再生については二次マーク期間の間を自動的にスキップして二次マーク期間のみを連続再生するオートスキップ再生モード、または前記キー操作部に設けられた早送りキーか巻戻しキーの手動操作により二次マーク期間の間をスキップし所望の二次マーク期間を検索して該二次マーク期間のみを再生し該二次マーク期間を再生し終われば再生モードの一時停止状態に入るマニュアルスキップ再生モードが選択でき、さらに通常再生モード、スキップ再生モードのいずれにおいても二次マーク期間のデータを再生しているときは、二次マーク期間の総数と共に何番目の二次マーク期間を再生しているか表示したり、逆に再生したい所望の二次マーク期間を指定したり、または再生中の二次マーク期間のマークの消去を可能にする制御を前期システムコントローラにより実行することを特徴とする記録再生装置。
【請求項６】
請求項１に記載の記録再生装置における請求項５に記載の再生モードに関して、前記記憶装置内のデータの特定の箇所に高速アクセスする手段として、前記通常再生モードでは前記キー操作部の早送りキーか巻戻しキーのオンオフ操作によるオンオフ状態信号の前縁と後縁で定められる期間を、予めデータの内容によって定められた高速アクセス単位時間の整数倍で丸めた期間分、再生中の前記データの前方、または後方へそれぞれ飛び越しアクセスする一方、前記スキップ再生モードでは前期オンオフ状態信号の前縁のみを用いて、現在再生中のデータのマーク期間の前方、または後方のマーク期間の先頭アドレスにそれぞれジャンプするよう前期システムコントローラにより制御することを特徴とする記録再生装置。
【請求項７】
請求項１に記載の記録再生装置において、前記データ記憶装置の内部を一時記録領域とデータベース領域に分割し、収集されたデータは常に一時記録領域に記録する。該一時記録領域のデータの再生時に、再生動作を完了するか、または中断して再生モードの一時停止状態に入ったとき、該一時記録領域にある前記データをすべて消去するか、保留するか、またはデータベース領域に保存するかいずれかを選択する、または請求項１に記載したマーキング方法により指定された一次マーク期間を基に、請求項２に記載したようにデータの再生のために改めて定めた二次マーク期間を、請求項３に記載したように該二次マーク期間相互の相対関係により統合整理した結果のマークアドレステーブルで指定される二次マーク期間のみのデータを集めて、一時記録領域に保留するか、またはデータベース領域に保存するか選択することができるよう前記システムコントローラで制御することを特徴とする記録再生装置。
【請求項８】
音声または動画像のように時間的に連続するデータを入力するデータ収集手段と、該データを記録する記憶装置と、前記データを該記憶装置に記録中にも、該記憶装置内のデータを再生中にも、該データを確認するための表示手段と、該表示手段でデータを確認しながらデータの任意の箇所を指定してマーキングするための前記マークキーを含むキー操作部と、記録または再生動作を制御する前記システムコントローラを備える前記記録再生装置において、該システムコントローラに含まれる中央処理ユニット（ＣＰＵ）を、前記データを前記記憶装置に記録、または前記記憶装置内のデータを再生するとき、あるいは前記キー操作部のメニューキーで編集モードを選び前記記憶装置内のデータの一部を削除、追加、加工するとき、該データを前期表示手段で確認しながら、特定の箇所で前記マークキーのオンオフ操作により生成されるオンオフ状態信号の前縁と後縁における前記システムコントローラに含まれる前記ＲＴＣの表示をそれぞれ開始時刻と終了時刻とする該データの一次マーク期間とし、該一次マーク期間を基に該データの再生または編集のために改めて定めた二次マーク期間の開始時刻と終了時刻のタイムコード対か、該タイムコード対を前記記憶装置上の物理アドレスに変換したアドレス対か、またはその両方を時刻順に行方向に配列して作成されるマークアドレステーブルを前記システムコントローラ内のメモリに記憶させるよう機能させるマーキングプログラム。
【請求項９】
請求項８に記載のマーキングプログラムにより前記システムコントローラ内の前記ＣＰＵと前記メモリを機能させ、音声または動画像データを前記記録再生装置内の記憶装置に記録するとき、または該記憶装置内の該ストリームデータを再生するときに、前期マークキーにより特定の箇所に指定された一次マーク期間を基にデータ再生のために定められた二次マーク期間からマークアドレステーブルを生成した上で、前記ＣＰＵを、前記メモリから前記マークアドレステーブルを参照しながら、請求項５に記載したように前記データのすべてを再生する通常再生モード、または前記二次マーク期間のみのデータを再生するスキップ再生モードにおいて前記二次マーク期間の再生中は該マーク期間の番号をマーク期間の総数と共に明示しながら該マークの消去を可能にし、また再生動作中に請求項６に記載したように前記キー操作部の早送りキーまたは巻戻しキーの操作による高速アクセスによるデータ検索を可能にし、請求項７に記載したように前記記憶装置内を一次記録領域とデータベース領域に分割し、入力データの記録に用いる該一時記録領域に記録された該データを再生完了または中断後に、該データのすべてを消去、一次記録領域に保留、またはデータベース領域に保存するか、ないしは該データの前記二次マーク期間のみを一時記録領域に保留、またはデータベース領域に保存するか選択的に実行可能な記録再生手段として機能させる記録再生プログラム。
【請求項１０】
前記システムコントローラ中の前記ＣＰＵを、音声または動画像データを記録再生する記録再生装置として機能させるためのプログラムを記録したＣＰＵ読み取り可能な記録媒体であって、該ＣＰＵを、前期記憶装置に記録するデータ、または該記憶装置から再生するデータを請求項１に記載したマーキング方法により指定された一次マーク期間を基に、請求項２に記載したようにデータの再生のために改めて定めた二次マーク期間を、請求項３に記載したように該二次マーク期間相互の相対関係により統合整理した結果のマークアドレステーブルを前記システムコントローラ内のメモリに記憶させ、音声または動画像データの特定の箇所に任意の長さのマーク期間を指定できるように機能させるマーキングプログラムと、請求項５に記載したように、前記マークアドレステーブルを参照しながら該データを前記記憶装置から再生するとき、通常再生モードと前記二次マーク期間のみの再生を実行するスキップ再生モードを選択的に実行しながら、いずれの再生モードにおいても再生中の二次マーク期間が何番目かをマーク期間の総数と共に表示し該二次マーク期間のマークの消去を可能にし、また請求項６に記載したようにデータ再生時に前記キー操作部に設けられた早送りキーと巻戻しキーの操作に基づき高速アクセスによるデータ検索を可能にし、また請求項７に記載したように、前記記録再生装置の記憶装置を一次記録領域とデータベース領域に分割し、入力データの記録に用いる該一時記録領域に記録された該データの再生完了または中断後に、該データのすべてを消去、一次記録領域保留、またはデータベース領域に保存するか、ないしは該データの二次マーク期間のみを一時記録領域に保留、またはデータベース領域に保存するか選択的に実行可能な記録再生装置として機能させるための記録再生プログラムを記録した前記ＣＰＵが読み取り可能な記録媒体。
【発明の詳細な説明】
【技術分野】
【０００１】  音楽や動画像のような時間的に連続するデータの記録再生装置、該データへのマーキングを含む記録再生の制御方法、マーキングプログラム、記録再生プログラムおよび記録媒体に関し、音声や動画像データの専用レコーダに、または大容量記憶装置を有するパーソナルコンピュータ（ＰＣ）を含めた汎用のマルチメディア対応電子情報機器をベースにして構築された音声や動画像データの記録再生装置に適用して好適な記録、再生、検索、編集技術である。
【背景技術】
【０００２】  従前の音声や動画像のようなデータ專用の記録再生装置は一般にカウンターや経時表示装置を備えるが、該カウンターや該経時表示装置の表示を頼りに大体の位置を定めた後、再生しながら所望の部分を検索する方法しかなく不便であった。また、音楽用記録再生装置において、音楽再生中にお気に入りの曲にマークをつけて、そのマーキングされた曲のみを再生する機能が実現されているが、講義や講演の収録時に必須である随時任意の期間のマーキングはできない。また、マイクロソフト社が提供するＰＣ用の応用ソフト「ＯｎｅＮｏｔｅ２００３」は、マイクが備えられたＰＣを受講のための音声記録装置として用いながら、該ＰＣ上でキーボードを叩くことにより講義メモが取られると、それに連動して記録されている講義音声にマーキングする機能が備えられているが、大勢の受講者の中でキーボードを叩きながらメモを取るのは一般に許されないし決して手軽な方法でもない。また、特開２００２−２４７４８９公報には、会議の進行をマイクやカメラの入力手段と記録装置を用いて収録する際、該入力手段からのデータに会議者の発言に基づくマーキングを施し該マークを専用の記憶手段に記憶し、該マークをデータ検索に利用するか、または該マークが付された部分のみを記録または再生するために利用することを特徴とする記録再生装置が提案されているが、データを教材として利用する反復学習においてはユーザ毎に重要と思われる箇所と期間は異なるので適さない。
【非特許文献１】シャープ  ＭＤ−ＤＲ７−Ａ  取扱説明書
【非特許文献１】ｈｔｔｐ：／／ｗｗｗ．ｍｉｃｒｏｓｏｆｔ．ｃｏｍ／ｊａｐａｎ／ｏｆｆｉｃｅ／ｏｎｅｎｏｔｅ／
【特許文献１】特開２００２−２４７４８９
【発明の開示】
【発明が解決しょうとする課題】
【０００３】  磁気テープ、磁気ディスク、光ディスクのような大容量記録媒体を用いる音楽や動画像のようなデータ専用の記録再生装置ばかりか、ランダムアクセスメモリ（ＲＡＭ）やハードディスクドライブ（ＨＤＤ）やディジタルビデオディスク（ＤＶＤ）のような記憶装置を搭載する据え置き型、またはノート型のＰＣからパーソナルディジタルアシスタント（ＰＤＡ）のような小型携帯情報端末機器においても、該記憶装置を用いて音楽や動画像のようなデータを記録再生するための機能が具備され記録再生装置としても機能する製品が提供されている。しかし、これらの記録再生装置には、データを学習教材として反復学習に利用する上で、ユーザが重要と判断した特定の箇所で任意の期間マーキングできる機能が備えられていない。
本発明は、上述の問題を解決するために音声や動画像のような時間的に連続するデータを記憶装置に記録する際も、該記憶装置に記録された前記データを再生する際も、ユーザが重要と思う箇所に任意の長さのマーク期間を随時指定でき該マーク期間の検索を容易にする結果、反復学習の効果を高められる記録再生装置、データへのマーキングを含む記録再生の制御方法、マーキングプログラム、記録再生プログラムおよび記録媒体を提供することを目的とする。
【課題を解決するための手段】
【０００４】  上記の課題を解決するために本願の請求項１記載の記録再生装置の発明は、音声または動画像のように時間的に連続するデータを入力するデータ収集手段と、該データを記録する記憶装置と、収集しているデータまたは該記憶装置内のデータを再生するときに該データを確認するための表示手段と、記録または再生両方の動作を制御するシステムコントローラと、音声または動画像データを該記憶装置に記録するときも、該記憶装置内のデータを再生するときも、前記表示手段でデータを確認しながら該データの特定箇所を指定するマーキング手段を含むキー操作部を備え、マーキング手段のオンオフ操作でデータの特定の箇所に任意の長さの一次マーク期間を指定できるようにしたことを特徴とする。また、請求項２に記載の記録再生装置において、記録または再生動作を制御する前記システムコントローラは、中央処理ユニット（ＣＰＵ）と、時間管理用のリアルタイムクロック（ＲＴＣ）と、主記憶メモリと、不揮発メモリと、音声または動画像データを前記記憶装置に記録する際に圧縮し、または前記記憶装置内のデータを再生して前記表示手段に出力する際に該データを伸長するデータ処理サブシステムと、該データ処理サブシステムが前記データ処理に使用するビデオメモリで構成され、また前記キー操作部にはマーキング手段としてのマークキーと、記録再生動作を操作する再生キー、記録キー、一時停止キー、停止キー、早送りキー、巻戻しキー、予約キーと、前記記録再生装置に備えられた記録再生以外の機能を選択するメニューキーが設けられていて、前記予約キーで指定される予約モードでの記録または再生動作も含むデータの記録または再生を実行するときも、または前記メニューキーで編集モードを選択し前記記憶装置内のデータの特定箇所を指定して削除、追加、加工するときも、前記マークキーをオンオフ操作した時点の前記ＲＴＣを参照して該データの一次マーク期間と定め、該一次マーク期間を基に該データの再生または編集のため改めて二次マーク期間を定め、該開始時刻と該終了時刻のタイムコード対、または該タイムコード対を前記記憶装置の物理アドレスに変換したアドレス対、またはその両方を時刻順に行方向に配列してマークアドレステーブルを作成し前記システムコントローラ内の主記憶メモリに記憶することを特徴とする。また請求項３に記載したように、マーキングを伴う記録動作が完了するか中断して記録モードの一時停止状態に入ると、前記マークアドレステーブルの中で相隣る二次マーク期間の間隔がデータの内容によってあらかじめ定められた最小マーク期間より短いと、該二次マーク期間を連結して一つの二次マーク期間に統合して行方向に配列してマークアドレステーブルを作成し前記システムコントローラ内の不揮発メモリに長期保管する。また、該マークテーブルを参照しながらの再生動作において、新しいマーキングを伴う再生動作が完了するか中断して再生モードの一時停止状態に入ると、前記マークアドレステーブルには新旧の二次マーク期間が混在し、相隣る新しい二次マーク期間の間隔が前記最小マーク期間より短いと、記録時と同様にそれらを連結統合し、また新しい二次マーク期間が古い二次マーク期間と一部でも重なる部分で���、あい重なる古い二次マーク期間をすべて無効にし、新しい二次マーク期間を有効とするように選択整理した後、該二次マーク期間を時刻順に行方向に配列して作成し直したマークアドレステーブルを前記システムコントローラ内の不揮発メモリに長期保管のために記憶しデータの検索と再生に活用することを特徴とする。
【０００５】  請求項１に記載の記録再生装置において、記録または再生動作を起動した後、該動作を中断して記録モードまたは再生モードの一時停止状態に戻す前記システムコントローラによる制御に関し、先ず前記キー操作部に設けられた記録キーまたは再生キーを押せば、記録モードまたは再生モードの一時停止状態に入り、そこで前記表示手段に表示される記録操作ダイアログまたは再生操作ダイアログを通して、記録の場合には入力手段と記録のための圧縮方式を選択し必要事項を入力して記録操作ダイアログ中の決定ボタンを選ぶか記録キーを押せば記録動作に、また再生の場合には再生する前記記憶装置内のデータと再生モードを選択し必要事項を入力して再生操作ダイアログ中の決定ボタンを選ぶか再生キーを押せば再生動作にそれぞれ入るという対称形の状態遷移を採りながら、次に一時停止キーが記録または再生の動作中に押されると、記録動作中のときは即応せずダイアログを表示し「中断」するか「継続」するか問い直しそのときの指示に基づいて一時停止か継続かの動作を決定し、再生動作中のときはデータが破壊されないため即応して再生モードの一時停止状態に入るという非対称形の状態遷移を採ることにより、予約モードによる記録動作も含めたデータ記録時の一時停止キーの押し間違いによる記録ミスを防ぐことを特徴とする。
【０００６】  請求項５に記載の記録再生装置において、前記記憶装置内のデータを再生してディスプレイとスピーカからなる前記表示手段に出力する再生モードに関し、停止状態で再生キーを押して再生モードの一時停止状態に入ると表示される再生専用のダイアログを通して、該データをすべて再生する通常再生モード、ないしは該データの二次マーク期間のみを再生するスキップ再生モードを有し、特にスキップ再生については二次マーク期間の間を自動的にスキップして二次マーク期間のみを連続再生するオートスキップ再生モード、または前記キー操作部に設けられた早送りキーか巻戻しキーの手動操作により二次マーク期間の間をスキップし所望の二次マーク期間を検索して該二次マーク期間のみを再生し該二次マーク期間を再生し終われば再生モードの一時停止状態に入るマニュアルスキップ再生モードのいずれかを選択でき、また通常再生モード、スキップ再生モードにかかわらず、二次マーク期間のデータを再生しているときは、前記表示手段の一部に例えばメニューバーを表示し、該メニューバー上で二次マーク期間の総数と共に何番目の二次マーク期間を再生しているか表示したり、逆に再生したい所望の二次マーク期間を指定したり、または再生中の二次マーク期間のマークの消去を指示できることを特徴とする。また請求項６に記載したように、前記記憶装置内のデータを再生中に前記キー操作部に設けられた早送りキーと巻戻しキーを高速アクセス手段として用いてデータ検索をするが、通常再生モードでは早送りキーまたは巻戻しキーのオンオフ操作により生成されるオンオフ状態信号の前縁と後縁で指定される期間を、予めデータの内容によって定められた高速アクセス単位時間の整数倍で丸めた期間分、再生中の前記データの前方、または後方へそれぞれ飛び越しアクセスする一方、スキップ再生モードでは前記マークキーのオンオフ状態信号の前縁のみを用いて、現在再生中のデータの二次マーク期間の前方、または後方の二次マーク期間の先頭アドレスにそれぞれジャンプすることを特徴とする。また、請求項７に記載の記録再生装置において、前記データ記憶装置の内部を一時記録領域とデータベース領域に分割し、収集されたデータは常に該一時記録領域に記録する。該一時記録領域のデータ再生時、再生動作を完了するか、または中断して再生モードの一時停止状態に入った際に、該データをすべて消去するか、一時記録領域に保留するか、データベース領域に保存するか選択でき、または請求項３に記載したように生成されたマークアドレステーブルを参照して二次マーク期間のみのデータを集めて、一時記録領域に保留するか、またはデータベース領域に保存（データベース化）するか選択できることを特徴とする。
【０００７】  音声または動画像のように時間的に連続するデータを入力するラジオ・テレビチューナや、ネットワーク上で提供されるデータを入力するためのネットワークインタフェースや、マイク・カメラの出力信号を直接入力するライブ入力手段から構成されるデータ収集手段と、該データを記録する記憶装置と、前記データを該記憶装置に記録中にも、該記憶装置内のデータを再生中にも、該データを確認するための表示手段と、該表示手段でデータを確認しながらデータの特定の箇所を指定してマーキングするための前記マークキーを含むキー操作部と、記録と再生両方の動作を制御するシステムコントローラを備える記録再生装置において、該システムコントローラ中のＣＰＵを、前記データを前記記憶装置に記録、または前記記憶装置内のデータを再生中に該データの特定の箇所で任意の間隔でマークキーをオンオフ操作させることにより生成されるオンオフ状態信号の前縁と後縁における前期ＲＴＣの表示をそれぞれ開始時刻と終了時刻とする一次マーク期間を定め、該一次マーク期間を基に該データの再生のために改めて定められた二次マーク期間の開始時刻と終了時刻のタイムコード対か、または該タイムコード対を前記記憶装置上の物理アドレスに変換したアドレス対か、またはその両方をマークアドレステーブルとする、またはメニューキーによりデータの特定箇所を削除、追加、加工する編集機能が選択された際も、前記マークキーによりデータの特定箇所を指定し生成されたマークアドレステーブルを前記システムコントローラ内のメモリに記憶させるように機能させるマーキングプログラム。また該マーキングプログラムにより前記システムコントローラ中の前記ＣＰＵを機能させ、音声または動画像のデータを前記記録再生装置内の記憶装置に記録時、または該記憶装置内のデータを再生時に前記マークキーにより改めてマーキングされた該記憶装置内の該データの再生に関して、前記システムコントローラ中の前記ＣＰＵを、前記システムコントローラ内の前記メモリから前記マークアドレステーブルを参照しながら、請求項５に記載したように前記データのすべてを再生する通常再生モード、前記二次マーク期間のみを再生するスキップ再生モードを選択的に実行し、前記二次マーク期間の再生中はメニューバーに二次マーク期間の総数と共に該二次マーク期間の番号を明示しながら該マークの消去を可能にし、また再生動作中に請求項６に記載のように高速アクセス手段である早送りキーまたは巻戻しキーの操作によるデータ検索を可能にし、請求項７に記載したように一次記録領域とデータベース領域に分割された前記記憶装置内で、入力データを記録する際には一次記憶領域に記録し、該一次記録領域に記録された該データの再生中に該データのすべてを消去、保留、またはデータベース領域に保存か、ないしは該データの二次マーク期間のみを一時記録領域に保留か、またはデータベース領域に保存することを実施するよう機能させる記録再生プログラム。
【０００８】  前記システムコントローラ中のＣＰＵを、音声または動画像データを記録再生する記録再生装置として機能させるためのプログラムを記録したＣＰＵ読み取り可能な記録媒体であって、該システムコントローラ中のＣＰＵを、請求項１に記載のマーキング方法で指定された一次マーク期間を基に、請求項２で記載したように改めてデータ再生のために二次マーク期間を定め、さらに該二次マーク期間を請求項３に記載したように二次マーク期間相互の相対関係から統合整理した結果の二次マーク期間の開始時刻と終了時刻のタイムコード対か、該タイムコード対を前記記憶装置上の物理アドレスに変換したアドレス対か、またはその両方をマークアドレステーブルとして前記システムコントローラ内のメモリに記憶させ、音声または動画像データの特定の箇所に任意の長さのマーク期間を指定できるように機能させるマーキングプログラムと、請求項５に記載したように、該データを前記記憶装置から再生するとき、通常再生モードと二次マーク期間のみの再生を実行するスキップ再生動作を実行させながら、請求項５に記載したようにいずれの再生モードにおいても二次マーク期間の総数と共に再生している二次マーク期間が何番目か表示し該マークの消去を可能にし、また請求項６に記載したようにデータ再生時に、早送りキーと巻戻しキーの操作に基づき高速アクセス制御を実施する、また請求項７に記載したように、前記記録再生装置の記憶装置を一次記録領域とデータベース領域に分割し、データの記録には一次記録領域を用いて消去するか一次記録領域に保留するか、またはデータベース領域に保存するか否かを選択できる記録再生手段として機能させるための記録再生プログラムを記録したＣＰＵが読み取り可能な記録媒体。
【発明の効果】
【０００９】  以上、説明したように、本発明によれば、音声または動画像のデータを記憶装置に記録するときも、該記憶装置内に記録された音声や動画像データを再生するときも、該データを表示手段で確認しながらマーキング手段のオンオフ操作でデータの特定の箇所に任意の長さのマーク期間を指定でき、また該データを繰り返し再生する度にユーザが重要と判断する箇所を随時マーク期間として更新できる結果、該マーク期間の検索が容易になり反復学習の能率を高めることができる。
【発明を実施するための最良の形態】
【００１０】  以下に、本発明を実施するための形態を図１〜図８を用いて説明する。
【実施例１】
【００１１】  図１にマーキング機能付きの記録再生装置１０のブロック図を示した。該記録再生装置１０は、記録または再生機能と、該機能に関連する機能の実行を制御するシステムコントローラ１００と、マークキー、メニューキーの他、基本的な記録再生機能を操作する記録キー、再生キー、一時停止キー、停止キー、早送りキー、巻戻しキー、予約キーを含むキー操作部２００と、ディスプレイ３１０とスピーカ３２０からなる表示手段３００と、メモリカード４１０、ＨＤＤ４２０、ＤＶＤ４３０からなるデータ記憶装置４００と、音声や動画像データを入力するラジオ、テレビのチューナ５１０、ネットワークインタフェース５２０、マイク５３１、スピーカ５３１からなるライブ入力手段５３０を含むデータ収集手段５００から構成される。【００１２】  ＜キー操作部＞図２に本願の目的とするマーキング機能を有する記録再生機能を実現する携帯型電子情報機器の外観を例示した。また、該電子情報機器のキー操作部の正面図を図３に例示した。該キー操作部２００の記録再生装置１０に関わるキーの基本的な役割について説明する。
停止キー７：動作を完全に停止し初期状態に戻す。
再生キー２：一度押せば再生モードの一時停止状態に入り再生モード専用のダイアログが表示され、ダイアログを通して再生データを選択し必要項目を入力すれば、続く再生キーで再生動作に入る。
早送りキー４：再生状態、または再生モードの一時停止状態で高速前進アクセスする。
巻戻しキー１：再生状態、または再生モードの一時停止状態で高速後進アクセスする。
記録キー６：一度押せば記録モードの一時停止状態に入り記録モード専用のダイアログが表示され、ダイアログを通して入力データを選択し必要項目を入力すれば、続く記録キーで記録動作に入る。
一時停止キー３：再生動作中に押すと、再生動作を中断して一時停止状態に入る。記録動作中（予約記録動作中も含む）では直ちに中断せず、ダイアログ上で継続するか中断するかの確認を求める。中断であれば一時停止する。このように非対称にしたのは、予約記録も含めたデータ記録時の一時停止キーの押し間違いによる記録ミスを防ぐためである。
予約キー５：記録または再生動作を予約するときに押して予約モードに入る。
マークキー８：予約記録も含む記録動作中、または予約再生も含む再生動作中のデータの特定箇所に一次マーク期間を指定する。
メニューキー９：記録再生装置１０が有する基本的な記録再生機能に関連ある記憶装置４００の構成要素であるメモリカード４１０、ＨＤＤ４２０、ＤＶＤ４３０の装置間、または該記憶装置４００と外部機器とのデータ授受のためのデータ伝送機能や、記憶装置内にあるデータを編集するか、または任意方向に任意速度で再生する特殊再生機能や、データ消去や削除の繰り返しにより断片化した記憶装置内部の記録領域を整理統合するデフラグメンテーション機能を選択するためのダイアログ（図示せず）を表示する。【００１３】  ＜システムコントローラの構成とマーキング機能＞システムコントローラ１００は、プログラマブルプロセッサが適用されるＣＰＵ１１０、主にＯＳのような基本ソフトや関連のミドルウェア（ＭＷ）の他にタスク処理するための応用プログラムを駐在させる領域とタスク処理を実行するための作業（データ）領域とに分割して用いられる主記憶メモリ１２０と、本願のマーキング方法により生成されるマーク期間を指すマークアドレステーブルが長期保管される不揮発性メモリ１３０と、時間管理用リアルタイムクロック（ＲＴＣ）１４０と、データ処理サブシステム１５０と、ビデオメモリ１６０から構成され、記録モードではラジオ・テレビチューナ５１０と、モデム、ワイアレスＬＡＮ、ブルートゥースインタフェース（図示せず）からなるネットワークインタフェース（ＩＦ）５２０と、マイク５３１とカメラ５３２からなるライブ入力手段５３０で構成されるデータ収集手段５００において、選択された入力手段からの音声または動画像データをデータ処理サブシステム１５０に導き、該データ処理サブシステムはビデオメモリ１６０を用いながら任意に選択された圧縮方式により圧縮したデータを記録装置４００に転送して記録し、再生モードでは該記憶装置４００に圧縮して記録した音楽や動画像データを再生しデータ処理サブシステム１５０により圧縮伸張してディスプレイ３１０とスピーカ３２０からなる表示手段３００に導き表示する記録再生装置１０の記録または再生動作、ないしはメニューキーを押して表示されるメニューダイアログ（図示せず）を通して選択された関連する機能を制御する一方、前記データ収集手段５００からのデータを記録する、または前記記憶装置内のデータを再生するときのマーキングにおいて、前記マークキー８のオンオフ操作により生成されるオンオフ状態信号の前縁と後縁における前期ＲＴＣ１４０の表示をそれぞれ開始時刻と終了時刻とする一次マーク期間を定め、該一次マーク期間の開始時刻からあらかじめデータによって定められた最小マーク期間Ｔｍ過去に遡った時刻と、該一次マーク期間の終了時刻の間を改めて該データの再生または編集のための二次マーク期間と定め、該開始時刻と該終了時刻のタイムコード対、または該タイムコード対を前記記憶装置の物理アドレスに変換したアドレス対、またはその両方を時刻順に行方向に配列してマークアドレステーブルを作成し前記システムコントローラ内の主記憶メモリ１１０に記憶し、記録または再生動作が完了するか中断により一時停止状態に入れば、該マークアドレステーブルを長期保管のために不揮発メモリに移し次の再生動作に備える。【００１４】  ＜記録装置の��成と動作＞記録装置４００として、メモリカード４１０、ＨＤＤ４２０、ＤＶＤ４３０を備えるが、一般にメモリカード４１０は外部機器とのデータ授受用の媒体として、ＨＤＤ４２０はヘッドアクセススピードとデータレートが高いため主たる記憶装置として、ＤＶＤ４３０はＨＤＤ４２０のバックアップ用に用いることを想定しているが、該記憶装置の利用における割り当て方はこれに限るものではない。データ収集手段５００からのデータを前記システムコントローラ１００内のデータ処理サブシステム１６０で圧縮したデータを前記ＨＤＤ４２０に記録し、該ＨＤＤ４２０に記録されたデータを再生し前記データ処理サブシステム１６０で伸張した後、データがディスプレイ３１０とスピーカ３２０からなる表示手段３００に転送され表示される。ＨＤＤ４２０がオーバーフローする前に、保存するために選択されたデータをＤＶＤ４３０内の指定された領域にセイブするとき、前記システムコントローラ１００内の不揮発メモリ１３０に保管されている該データに付随するマークアドレステーブルを読み出して、あらかじめ定められた該記録領域の先頭ブロックに他のコントロール情報と共に転記される。【００１５】  記録モードには通常記録モードとタイマーを用いる予約記録モードがあり、両者に共通の仕様は次のとおりである。
イ）最初に記録キーを押すと、記録モードの一時停止状態に入り、ディスプレイ３１０上に図７（ａ）に示す記録操作ダイアログが表示され入力手段と提示される記録可能容量や圧縮方式による記録可能時間を参考にして記録の際のデータ圧縮方式を選択し、再生時に必要な最小マーク期間Ｔｍの設定と、早送りキー４、巻戻しキー１による高速アクセス単位時間を指定する。続いて前記記録操作ダイアログ中の決定ボタンを選ぶか記録キー６が押されると、ＨＤＤ４２０に対して記録コマンドが発せられ前記データ収集手段から入力されるデータが、前記システムコントローラ１００内の主記憶メモリ１２０の作業領域内に指定されたバッファ領域の一定量に達し、該ＨＤＤ４２０が記録可能状態（ＲＲＤＹ）になれば、該データが転送されて記録が実行される、特に前記入力源として「インターネット」を選んだときは、ブラウザが呼ばれ所定のサイトにアクセスして所望の音声や動画像データを選択して記録キー６を押せば、それ以降上記と同様の過程を踏んで記録が実行される。
ロ）記録動作中に一時停止キー３が押されると、図７（ｂ）に例示するようなメニューバーがディスプレイ３１０の下端に表示され、記録を「継続」するか、「中断」するかを問うメッセージがハイライト状態になる。「継続」を選べば記録を継続し、「中断」を選べば記録モードの一時停止状態に入る。【００１６】  再生モードには通常再生モード、予約再生モード、スキップ再生モードの三つのモードがある。スキップ再生にはさらにオートスキップ再生と、マニュアルスキップ再生の二つのモードがあり、詳しくは【００１７】に記す。再生モードの選択には図８（ａ）に例示したダイアログを用いる。これらに共通の仕様は次のとおりである。
イ）最初に再生キー２を押すと、再生モードの一時停止状態に入り、ディスプレイ３１０上に図８（ａ）に例示する再生操作ダイアログが表示されるので、再生データと再生モードを選択し、再生時に必要な最小マーク期間Ｔｍと、早送りキー４または巻戻しキー１の操作による高速アクセス単位時間の前回の設定を表示する。図８（ａ）では一時記録領域が選択されハイライト状態にあり、右側の縦に帯状に展開されたウィンドウに一時記録領域内のコンテンツが一覧表示される。データを選択すると、それに関する詳細な情報が描出される。続いて再生操作ダイアログ中の決定ボタンを選ぶか再生キー２を押して再生可能状態（ＰＲＤＹ）になれば、再生動作を開始する。前記ＨＤＤからの再生データは前記システムコントローラ１００内の主記憶メモリ１２０の作業領域内に指定されたバッファ領域に入り、特定のタイミングで該バッファから読み出される。
ロ）一時記憶領域にあるデータを再生完了するか、または一部でも再生して一時停止すると、図８（ａ）に示すように、「消去」、「保留」、「保存」ボタンがハイライトされ決定を促す。そのときの再生モードに応じて、通常再生モードであれば選択されたデータすべてを、スキップ再生モードであれば二次マーク期間のみのデータを、「保留」ボタンが選ばれると一時記録領域に保留し、「保存」ボタンが選ばれるとデータベース領域に「保存」する。「保存」を選べば、右側の縦に帯状に展開されたウィンドウにデータベース内のフォルダ群がスクロールしながら一覧できるように表示される（図示せず）。保管場所（フォルダ）を選ぶか新しいフォルダを設けると、データ名を表示して修正の有無を問う。必要事項を入力すれば、該データがデータベースとして登録される。「消去」の場合には、一時記録領域上の該データ全体が消去扱いになる。
ハ）二次マーク期間の再生中には、図８（ｂ）に例示するメニューバーを画面の下端に表示し、二次マーク期間の総数と共に何番目の二次マーク期間を再生しているか明示し、同じウィンドウに所望の二次マーク期間の番号を入力し決定ボタンを選べば、該二次マーク期間にアクセスでき、「消去」ボタンを選び「決定」ボタンを選べば現在再生中の二次マーク期間のマークを無効にする。
ニ）再生モードの一時停止状態でも再生動作中も、前記キー操作部２００の巻戻しキー１、または早送りキー４を押せば通常の後進、または前進を始める。このとき、図８（ｃ）に示すように画面下にバーが現れる。バー上の早送り、または巻戻しボタン１のいずれか該当する方がハイｂライト状態になり、押し続けている間の経過時間が表示される。該キーを離せば自動的に再生コマンド（ＰＣＭＤ）がＨＤＤ４２０に対して発せられ該ＨＤＤ４２０が再生可能状態（ＰＲＤＹ）になれば、通常再生を実行する。
ホ）再生動作中に一時停止キー３を押せば、即応して再生を中断して再生モードの一時停止状態になる。【００１７】＜スキップ再生＞スキップ再生にはオート／マニュアルの二つのモードがあるが、いずれにおいても各マーク期間を再生中に巻戻しキーまたは早送りキーのオンオフ操作により生成されるオンオフ状態信号の前縁で指示された時点のマーク期間の後方または前方のマーク期間の先頭アドレスにジャンプし、再生可能状態（ＰＲＤＹ）になれば、再生動作に入る。
−オートスキップ−
・オートスキップ再生モードではすべてのマーク期間を連続的に再生する。
−マニュアルスキップ−
・マニュアルスキップ再生モードでは各マーク期間を再生終了する毎に一時停止状態に入る。【００１８】  図５に前記システムコントローラ１００の前記ＣＰＵ１１０が実行する前記主記憶メモリ１２０に駐在するマーキングプログラムの記録時のフローを示した。簡単のため前記記憶装置上の物理アドレスのみをマーキングに用いる例について記す。最初に記録キー６が押され記録モードの一時停止状態に入ると、インデックスｉ、マークアドレス行列Ｓ（ｉ，ｊ）がクリアされ、データレートに応じて時間経過と共に変化する前記記憶装置４００の物理アドレスを表す記録再生プログラム内に登録されている関数ブロックであるアドレス関数ａｄｘに指定された記録領域の先頭アドレスであるＡＤ０が代入される。次に、記録操作ダイアログ中の決定ボタンが選ばれるか記録キー６が押され記録可能状態（ＲＲＤＹ）に入ると、マークキーが押されたか確認するループに入る。マークキーが押されたことを確認すると、マークアドレス行列Ｓ（ｉ，ｊ）（ｎ  ｘ  ３行列）のマーク期間の開始アドレスを表すＳ（ｉ，１）にアドレス関数ａｄｘの値から最小マーク期間Ｔｍを引いた値を代入する。これが負のときはＡＤ０にする。その後、マークキーが離されると、マーク期間の終了アドレスＳ（ｉ，２）にそのときのアドレス関数ａｄｘの値を、該二次マーク期間の無効・有効を示すフラグＳ（ｉ，３）に１を代入する。以降、これが繰り返され該二次マーク期間は時刻順に行方向に配列されてマークアドレステーブルが主記憶メモリ１２０上に作成される。記録動作が完了するか中断されて記録モードの一時停止状態になると、そのときのｉの値がマークアドレス対すなわち二次マーク期間の数Ｌとなる。その後、Ｓ（ｉ，２）とＳ（ｉ＋１，１）との大小関係を調べ、Ｓ（ｉ，２）が大であれば、相隣る該マーク期間の間隔が最小マーク期間Ｔｍより短いことを意味するので、Ｓ（ｉ，ｊ）をＳ（ｉ，３）＝０として無効化し、上位のマーク期間Ｓ（ｉ＋１，ｊ）に統合することにより連結する。その結果、有効二次マーク期間の数はＮになり、主記憶メモリ１２０上に作成された新たなマークアドレス行列Ｔ（ｉ，ｊ）をマークアドレステーブルとして不揮発メモリ１３０にセイブすることを特徴とする。【００１９】  図６に前記システムコントローラ１００の前記ＣＰＵ１１０が実行する前記主記憶メモリ１２０に駐在するマーキングプログラムの再生時のフローを示した。簡単のため前記記憶装置上の物理アドレスのみをマーキングに用いる例について記す。最初に再生キー２が押され再生モードの一時停止状態に入ると、不揮発メモリ１３０から再生データに付随するマークアドレステーブルが主記憶メモリ１２０中の定められた領域にダウンロードされ、インデックスｉがクリアされ、データレートに応じて時間経過と共に変化する前記記憶装置の物理アドレスを表す記録再生プログラム内に登録されている関数ブロックであるアドレス関数ａｄｘに指定された再生領域の先頭アドレスＡＤ０が代入される。次に、再生操作ダイアログ中の決定ボタンが選ばれるか再生キー２が押され再生可能状態（ＰＲＤＹ）に入ると、マーク期間のマークの消去を指示する消去ボタンが押されたかテストする。消去ボタンが���されると、アドレス関数の値がマーク期間に入っているかテストする。入っていれば、消去の指示を有効としＴ（ｉ，３）を０にすることにより該マーク期間を無効にする。消去ボタンの確認後は、再生動作中にマークキー８が押されたか確認するループに入る。このときのマークキー８の取り扱いは記録モード時と同じであるが、新しいマーク期間のフラグＴ（ｉ，３）は２になる。以降、これが繰り返され該二次マーク期間は時刻順に行方向に配列されてマークアドレステーブルが主記憶メモリ１２０上に作成される。再生動作を完了するか中断されて再生モードの一時停止状態になると、そのときのｉの値が新たなマークアドレス対の数すなわち二次マーク期間の数Ｍである。再生動作中に新たにマーキングされたり、消去されたりして変更されたマークアドレス行列Ｔ（ｉ，ｊ）から無効になった二次マーク期間を除去しながらＴ（ｉ，１）の小さい順に並べ替えＳ（ｉ，ｊ）に変換する。その後、Ｓ（ｉ，２）とＳ（ｉ＋１，１）との大小関係を調べＳ（ｉ，２）が大であれば、さらにＳ（ｉ，３）とＳ（ｉ＋１，３）の大小関係をテストする。等しい場合にはこれら隣り合う二次マーク期間のうちＳ（ｉ，ｊ）をＳ（ｉ，３）＝０として無効化し、上位の二次マーク期間Ｓ（ｉ＋１，ｊ）に統合することにより連結する。それ以外のケースでは、フラグ値が大である方が新しい二次マーク期間なので、該二次マーク期間を選択し古いマーク期間に対応するフラグを０にして無効にする。その結果、有効二次マーク期間の数はＮになり、マークアドレス行列Ｓ（ｉ，ｊ）をＴ（ｉ，ｊ）に変換してマークアドレステーブルとして二次マーク期間の数Ｎと共に不揮発メモリにセイブすることを特徴とする。【００２０】  ＜キー操作とキー配置に関する代替案＞次のような代替案が考えられる。
イ）記録・再生動作中に、停止キー７を押しても一時停止キー３が押されたときと同じに扱う。いずれも受け付けられて一時停止状態になると、続いて停止状態にするためには停止キー７のみを受け付ける。これにより停止を急ぐときのキー操作の迷いを軽減できる。
ロ）記録モードと再生モードにおいて、一時停止状態と停止状態を区別して残しながら一時停止キー３と停止キー７を統合して一つのキーにまとめてキーの数を減らすことも考えられる。すなわち、記録キー６を押して最初の記録モードの一時停止状態に入れば、図７（ａ）のダイアログが表示され、入力手段が選択され必要事項が入力されて決定ボタンが選ばれるか記録キー６が押されると記録動作に入り、記録動作中に停止キー７が押されると、図７（ｂ）のダイアログが表示され「中断」するか「継続」するか指示を求める。「継続」を選べば記録動作を継続し、「中断」を選べば記録モードの一時停止状態に入る。さらに、停止キー７が押されると停止状態に入りダイアログは消える。一方、再生キー２を押して最初の再生モードの一時停止状態に入れば、図８（ａ）のダイアログが表示され、再生するデータが選択され必要事項が入力されて決定ボタンが選ばれるか再生キー２が押されると再生動作に入り、再生動作中に停止キー７が押されると、再生モードの一時停止状態に入る。さらに、停止キー７を押されるダイアログが消える。このように、表示手段で表示される内容によりどの状態なのか判断でき混乱は発生しないので、ディスプレイ３２０を常に視認できる状況下では有効である。
ハ）予約記録・再生のための予約キー５を排除して、予約登録機能を記録再生機能に関連する機能としてメニューキー９を押して表示される機能選択のためのダイアログ（図示せず）に含めることも考えられる。【００２１】
【実施例２】  ＰＣやＰＤＡのような標準の電子情報機器の本体に付属のキーボード上の特定のキーをマークキー８や、メニューキー９の他、記録再生動作操作用の再生キー２、記録キー６、一時停止キー３、停止キー７、早送りキー４、巻戻しキー１、予約キー５に割り当てた上で、該電子情報機器が読み取り可能な記録媒体に記録された前記マーキング記録再生プログラムやマーキングプログラムを提供すれば本願の目的とする記録再生装置は実現可能であり、さらに前記付属のキーボードの代わりに図４に示すような専用のリモートコントロールユニットを用意すれば操作性が改善される。【００２２】
【実施例３】  音声や動画像データの記録または再生に関連して、前記ＨＤＤ４２０と前記記憶装置４００内のメモリカード４１０やＤＶＤ４３０を含む他の電子装置とのデータ授受のためのデータ伝送機能や、該ＨＤＤ４２０内のデータを任意方向に任意速度で再生する特殊再生機能や、該データの前記マーキング手段により指定された箇所に削除、追加、加工等の処理を施す編集機能や、前記記憶装置内の記録領域を整理統合するデフラグメンテーション機能のモジュール群を該マーキングプログラムと該記録再生プログラムを含む同一のアプリケーションプログラムに組み込み、メニューキー９により前記表示手段３００に表示される機能選択のためのダイアログ（図示せず）を通して選択できるようにすれば反復学習の効率をさらに高められる。【００２３】
【実施例４】  前記記録再生装置１０を操作するマーキング手段を含めた前記キー操作部２００のキー操作に対応するように、あらかじめ登録された音声コマンドを認識できる音声認識手段を、前記データ処理サブシステム１５０、または前記ＣＰＵ１１０で実行可能な機能モジュールとして用意し、前記データ収集手段の中のマイク５３１を通して入力された音声コマンドを認識した結果を、前期マーキングプログラムならびに記録再生プログラムのキー操作の検出信号の有無をチェックする部分にリンクさせれば、音声で操作可能な本願の目的を達成する記録再生装置１０を実現できる。【００２４】
【実施例５】  前記システムコントローラ１００中のデータ処理サブシステム１５０として、専用のプロセッサのかわりに、前記ＣＰＵ１１０で同じ動作が可能なデータ圧縮伸長プログラムならびにデータの編集機能プログラムを用意して前記マーキングプログラムと前記記録再生プログラムを含む同一のアプリケーションプログラムに組み込み、主記憶メモリ１２０に駐在させ実行させることにより本願の目的を達成できる。【００２５】
【実施例６】  図１の記録再生装置１０において、記録再生のための記憶装置４００とデータ処理サブシステム１５０の間をＣＰＵバスの代わりに、別の高速バスを用意し、該バスを介してデータ処理サブシステム１５０と前記記憶装置４００を直結することにより、前記ＣＰＵバス上で音声や動画像データと前記ＣＰＵが周辺機器と交わす制御コマンドとのコンフリクトを軽減し、本願の目的を達成する前記記録再生装置１０の制御特性を高められる。
【産業上の利用可能性】
【００２６】  ＰＣやワークステーション（ＷＳ）のような自己完結型のコンピュータがネットワークで接続されネットワーク全体を管理するサーバに指名されたコンピュータが、前記データ収集手段５００と前記のプログラムが記録された該サーバが読み取り可能な記録媒体のための記憶装置を備え、サーバ以外のコンピュータがクライアントとして前記サーバと連携動作するための連携プログラムを該サーバからダウンロードしている環境下で、該サーバはサーバ自身の内部の大記憶装置、または該クライアント内の記憶装置の特定領域をも統合して管理する仮想的な一つの大記憶装置の中で指定した共通領域または該クライアントのために個々の専用領域を設けて、該クライアントのユーザが前記連携プログラムにより該クライアントに付属のキーボード上であらかじめ指定されたキーを操作して前記データ収集手段の中で選択した入力源からの音声や動画像データをネットワークに流す一方、該ユーザは該サーバに対して記録コマンドを発すると同時にネットワーク上のデータを取り込み、該クライアントに付属のディスプレイでデータを確認しながらマーキングし、その情報を該サーバにネットワークを介して転送する。該サーバは該マーキング情報に基づき前記データに付属するマークアドレステーブルを作成し該サーバ内部のメモリ上に記憶することにより、ネットワークを利用したサーバによる集中管理型で結合されたコンピュータそれぞれが本願の目的を達成し得る、または前記クライアントにも前記サーバと同一のプログラムを該クライアントが読み取り可能な記録媒体のための記憶装置と、ラジオ・テレビチューナ以外の入力手段であるネットワークインタフェースとライブ入力手段を備え、これらを入力源とする範囲ではサーバから自立した形で、ネットワークを利用したサーバによる分散管理型で結合されたコンピュータそれぞれが本願の目的を達成し得る。
【図面の簡単な説明】
【００２７】
【図１】マーキング機能付き記録再生装置のブロック図である。
【図２】ＰＤＡシステムの外観図である。
【図３】ＰＤＡキー操作部の正面図である。
【図４】リモートコントロールユニットの正面図である。
【図５】データ記録時のマーキングを実行するフローチャートである。
【図６】データ再生時のマーキングを実行するフローチャートである。
【図７】記録モード操作用ダイアログである。
【図８】再生モード操作用ダイアログである。
【符号の説明】
【００２８】１        巻戻しキー
２        再生キー
３        一時停止キー
４        早送りキー
５        予約キー
６        記録キー
７        停止キー
８        マークキー
９        メニューキー
１０      記録再生装置
１００    システムコントローラ
１１０    中央処理ユニット（ＣＰＵ）
１２０    主記憶メモリ
１３０    不揮発メモリ
１４０    リアルタイムクロック（ＲＴＣ）
１５０    データ処理サブシステム
１６０    ビデオメモリ
２００    キー操作部
３００    表示手段
３１０    ディスプレイ
３２０    スピーカ
４００    記憶装置
４１０    メモリカード
４２０    ハードディスクドライブ（ＨＤＤ）
４３０    ディジタルビデオディスク（ＤＶＤ）
５００    データ収集手段
５１０    ラジオ、テレビチューナ
５２０    ネットワークインタフェース
５３０    ライブ入力手段
５３１    マイク
５３２    カメラ
【図１】
2005209320.tif 000003
【図２】
2005209320.tif 000004
【図３】
2005209320.tif 000005
【図４】
2005209320.tif 000006
【図５】
2005209320.tif 000007
【図６】
2005209320.tif 000008
【図７】
2005209320.tif 000009
【図８】
2005209320.tif 000010